(57)【要約】【課題】ユーザがネットワーク上に検出されるプロジェクタの中から所望のプロジェクタを容易に特定できるようにする。【解決手段】各プロジェクタ２に、第１のキーを取得する第１のキー取得手段と、取得した第１のキーを複合機１へ送信するキー送信手段と、を設ける。複合機１に、第１のキーをプロジェクタ２から受信するキー受信手段と、受信した第１のキーを含む情報をプロジェクタ情報として配置した一覧を表示するプロジェクタ一覧表示手段と、ユーザに一覧の中から画像データの送信先とするプロジェクタ２を示すプロジェクタ情報を選択させる送信先選択手段と、画像データを選択されたプロジェクタ情報に示されるプロジェクタ２へ送信する画像データ送信手段と、を設ける。【選択図】図１
2010258721.tif 000002
【特許請求の範囲】
【請求項１】
ネットワークを介して画像データをプロジェクタへ送信する画像データ送信装置と、前記ネットワークを介して前記画像データを前記画像データ送信装置から受信する１台または複数台のプロジェクタと、を備えた画像データ送受信システムであって、
前記プロジェクタは、
第１のキーを取得する第１のキー取得手段と、
前記取得した第１のキーを前記画像データ送信装置へ送信するキー送信手段と、
を有し、
前記画像データ送信装置は、
前記第１のキーを前記プロジェクタから受信するキー受信手段と、
前記受信した第１のキーを含む情報をプロジェクタ情報として配置した一覧を表示するプロジェクタ一覧表示手段と、
ユーザに前記一覧の中から前記画像データの送信先とする前記プロジェクタを示す前記プロジェクタ情報を選択させる送信先選択手段と、
前記画像データを前記選択されたプロジェクタ情報に示される前記プロジェクタへ送信する画像データ送信手段と、
を有することを特徴とする画像データ送受信システム。
【請求項２】
前記第１のキー取得手段は、前記第１のキーとして、ユーザが所有する携帯端末に装着されているＩＣカードに記録されたＩＤを読み取ることによって取得する、
請求項１記載の画像データ送受信システム。
【請求項３】
前記プロジェクタ一覧表示手段は、前記受信した第１のキーを含む情報のほかに、前記受信した第１のキーの送信元である前記プロジェクタ以外の前記プロジェクタを示す情報をも前記プロジェクタ情報として配置した前記一覧を表示する、
請求項１または２記載の画像データ送受信システム。
【請求項４】
前記画像データ送信装置は、
第２のキーを取得する第２のキー取得手段を有し、
前記プロジェクタ一覧表示手段は、前記受信した第１のキーのうち前記取得した第２のキーに一致するキーを含む情報が他の前記プロジェクタ情報とは異なる形態になるように前記一覧を表示する、
請求項１ないし３のいずれかに記載の画像データ送受信システム。
【請求項５】
前記第２のキー取得手段は、前記第２のキーとして、ユーザが所有する携帯端末に装着されているＩＣカードに記録されたＩＤを読み取ることによって取得する、
請求項４記載の画像データ送受信システム。
【請求項６】
前記プロジェクタ一覧表示手段は、前記受信した第１のキーのうち前記取得した第２のキーに一致するキーを含む情報が他の前記プロジェクタ情報よりも強調されるように前記一覧を表示する、
請求項４または５記載の画像データ送受信システム。
【請求項７】
前記プロジェクタ一覧表示手段は、前記受信した第１のキーのうち前記取得した第２のキーに一致するキーを含む情報が他の前記プロジェクタ情報よりも優先した位置に配置されるように前記一覧を表示する、
請求項４または５記載の画像データ送受信システム。
【請求項８】
ネットワークを介して画像データを複数台のプロジェクタのうちの少なくとも１台へ送信する画像データ送信装置であって、
第１のキーを前記プロジェクタから受信するキー受信手段と、
前記受信した第１のキーを含む情報をプロジェクタ情報として配置した一覧を表示するプロジェクタ一覧表示手段と、
ユーザに前記一覧の中から前記画像データの送信先とする前記プロジェクタを示す前記プロジェクタ情報を選択させる送信先選択手段と、
前記画像データを前記選択されたプロジェクタ情報に示される前記プロジェクタへ送信する画像データ送信手段と、
を有することを特徴とする画像データ送信装置。
【請求項９】
画像データ送信装置によりネットワークを介して画像データを複数台のプロジェクタのうちの少なくとも１台へ送信する画像データ送信方法であって、
前記画像データ送信装置に、
第１のキーを前記プロジェクタから受信する処理と、
前記受信した第１のキーを含む情報をプロジェクタ情報として配置した一覧を表示する処理と、
ユーザに前記一覧の中から前記画像データの送信先とする前記プロジェクタを示す前記プロジェクタ情報を選択させる処理と、
前記画像データを前記選択されたプロジェクタ情報に示される前記プロジェクタへ送信する処理と、
を実行させることを特徴とする画像データ送信方法。
【請求項１０】
ネットワークを介して画像データを複数台のプロジェクタのうちの少なくとも１台へ送信する画像データ送信装置に用いられるコンピュータプログラムであって、
前記画像データ送信装置に、
第１のキーを前記プロジェクタから受信する処理と、
前記受信した第１のキーを含む情報をプロジェクタ情報として配置した一覧を表示する処理と、
ユーザに前記一覧の中から前記画像データの送信先とする前記プロジェクタを示す前記プロジェクタ情報を選択させる処理と、
前記画像データを前記選択されたプロジェクタ情報に示される前記プロジェクタへ送信する処理と、
を実行させることを特徴とするコンピュータプログラム。
【発明の詳細な説明】
【技術分野】
【０００１】
本発明は、ネットワーク経由で画像データを送受信するシステムおよび送信する装置などに関する。
【背景技術】
【０００２】
コピー、ネットワークプリンティング（ＰＣプリント）、スキャナ、ファックス、およびドキュメントサーバなどの様々な機能を備えた、「複合機」または「ＭＦＰ（Multi Function Peripherals）」などと呼ばれる画像形成装置が普及している。
【０００３】
また、パーソナルコンピュータなどで表示される画面をスクリーンなどに投影する機能を備えた、「プロジェクタ」と呼ばれる画像投影装置が普及している。
【０００４】
近年、プロジェクタは、パーソナルコンピュータなどから入力される映像信号だけでなく、ＪＰＥＧ（Joint Photographic Experts Group）、ＧＩＦ（Graphics Interchange Format）、またはＴＩＦＦ（Tagged Image File Format）などの画像データの入力を受け付ける機能を備えるようになった。これにより、プロジェクタは、パーソナルコンピュータを介さずに入力される画像データに基づいて映像を投影できるようになった。
【０００５】
また、複合機およびプロジェクタは、ＮＩＣ（Network Interface Card）などのネットワークインタフェースを備えるようになった。これにより、複合機が原稿をスキャンするなどして生成した画像データを、ネットワーク経由でプロジェクタへ送信する機能の実現が可能になった（特許文献１）。
【先行技術文献】
【特許文献】
【０００６】
【特許文献１】特開２００８−１５２２０９号公報
【発明の概要】
【発明が解決しようとする課題】
【０００７】
さて、ネットワークには多数の複合機およびプロジェクタが接続されるのが通常である。
【０００８】
このような状況下では、ユーザは、ネットワーク経由で複合機からプロジェクタへ画像データを送信しようとする際、ネットワーク上に検出されたプロジェクタの中から、画像データを送信したいプロジェクタを特定しなければならない。
【０００９】
そのため、従来より、複合機はユーザに対して、ネットワーク上に検出されたプロジェクタを識別するための情報を提供している。それは、例えば、プロジェクタに登録されているプロジェクタ名称であったり、プロジェクタに割り振られたＩＰアドレスであったり、プロジェクタに装着されているＮＩＣなどに割り当てられたＭＡＣ（Media Access Control）アドレスであったりする。
【００１０】
ユーザはそれらの情報から画像データを送信したいプロジェクタを判別しなければならなかった。
【００１１】
ところが、プロジェクタ名称は、デフォルトの設定では単に「ｐｒｏｊｅｃｔｏｒ」などと登録されていて、他のプロジェクタとの間で識別不可能な情報である場合がしばしばである。そこで、他のプロジェクタと重複しないようなプロジェクタ名称を登録しておくとしても、ユーザにとって多数のプロジェクタについてそれを記憶しておくのは面倒である。
【００１２】
また、ＭＡＣアドレスおよびＩＰアドレスは、他のプロジェクタとの間で一意に識別可能な情報ではあるが、単純な数字の羅列に過ぎない。そのため、この場合も、ユーザにとって多数のプロジェクタについてそれを記憶しておくのは面倒である。
【００１３】
よって、ネットワーク上に検出されるプロジェクタを簡便に識別する方法の実現が望まれている。
【００１４】
本発明は、このような問題点に鑑み、ネットワーク上に検出されるプロジェクタを簡便に識別する方法を実現し、ユーザがネットワーク上に検出されるプロジェクタの中から所望のプロジェクタを容易に特定できるようにすることを、目的とする。
【課題を解決するための手段】
【００１５】
本発明に係る画像データ送受信システムは、ネットワークを介して画像データをプロジェクタへ送信する画像データ送信装置と、前記ネットワークを介して前記画像データを前記画像データ送信装置から受信する１台または複数台のプロジェクタと、を備えた画像データ送受信システムであって、前記プロジェクタは、第１のキーを取得する第１のキー取得手段と、前記取得した第１のキーを前記画像データ送信装置へ送信するキー送信手段と、を有し、前記画像データ送信装置は、前記第１のキーを前記プロジェクタから受信するキー受信手段と、前記受信した第１のキーを含む情報をプロジェクタ情報として配置した一覧を表示するプロジェクタ一覧表示手段と、ユーザに前記一覧の中から前記画像データの送信先とする前記プロジェクタを示す前記プロジェクタ情報を選択させる送信先選択手段と、前記画像データを前記選択されたプロジェクタ情報に示される前記プロジェクタへ送信する画像データ送信手段と、を有することを特徴とする画像データ送受信システム。
【００１６】
好ましくは、前記第１のキー取得手段は、前記第１のキーとして、ユーザが所有する携帯端末に装着されているＩＣカードに記録されたＩＤを読み取ることによって取得する。
【００１７】
または、前記プロジェクタ一覧表示手段は、前記受信した第１のキーを含む情報のほかに、前記受信した第１のキーの送信元である前記プロジェクタ以外の前記プロジェクタを示す情報をも前記プロジェクタ情報として配置した前記一覧を表示する。
【００１８】
または、前記画像データ送信装置は、第２のキーを取得する第２のキー取得手段を有し、前記プロジェクタ一覧表示手段は、前記受信した第１のキーのうち前記取得した第２のキーに一致するキーを含む情報が他の前記プロジェクタ情報とは異なる形態になるように前記一覧を表示する。
【００１９】
または、前記第２のキー取得手段は、前記第２のキーとして、ユーザが所有する携帯端末に装着されているＩＣカードに記録されたＩＤを読み取ることによって取得する。
【００２０】
または、前記プロジェクタ一覧表示手段は、前記受信した第１のキーのうち前記取得した第２のキーに一致するキーを含む情報が他の前記プロジェクタ情報よりも強調されるように前記一覧を表示する。
【００２１】
または、前記プロジェクタ一覧表示手段は、前記受信した第１のキーのうち前記取得した第２のキーに一致するキーを含む情報が他の前記プロジェクタ情報よりも優先した位置に配置されるように前記一覧を表示する。
【発明の効果】
【００２２】
本発明によると、ユーザは、ネットワーク上に検出されるプロジェクタの中から所望のプロジェクタを容易に特定できる。
【図面の簡単な説明】
【００２３】
【図１】画像データ送受信システムの全体的な構成の例を示す図である。
【図２】複合機のハードウェア構成の例を示す図である。
【図３】プロジェクタのハードウェア構成の例を示す図である。
【図４】複合機の機能的構成の例を示すブロック図である。
【図５】プロジェクタの機能的構成の例を示すブロック図である。
【図６】識別コードの入力をユーザに促す画面の例を示す図である。
【図７】一時プロジェクタ名称の確認をユーザに求める画面の例を示す図である。
【図８】識別コードの入力をユーザに促す画面の例を示す図である。
【図９】検出したプロジェクタについての検出リストの例を示す図である。
【図１０】検出したプロジェクタをユーザに提示する画面の例を示す図である。
【図１１】プロジェクタにおいて画像データを複合機から受信する処理の流れの例を示すフローチャートである。
【図１２】複合機において画像データをプロジェクタへ送信する処理の流れの例を示すフローチャートである。
【図１３】検出したプロジェクタを検出リストに追加する処理の流れの例を示すフローチャートである。
【図１４】携帯電話をかざすことをユーザに促す画面の例を示す図である。
【図１５】一時プロジェクタ名称の確認をユーザに求める画面の例を示す図である。
【図１６】携帯電話をかざすことをユーザに促す画面の例を示す図である。
【図１７】検出したプロジェクタをユーザに提示する画面の例を示す図である。
【発明を実施するための形態】
【００２４】
図１は画像データ送受信システムＳＹの全体的な構成の例を示す図、図２は複合機１のハードウェア構成の例を示す図、図３はプロジェクタ２のハードウェア構成の例を示す図である。
【００２５】
図１に示すように、画像データ送受信システムＳＹは、複合機１およびプロジェクタ２などがネットワークＮＷに接続されて構成される。ネットワークＮＷは、Ｅｔｈｅｒｎｅｔ（登録商標）により構築されたＬＡＮ（Local Area Network）であり、通信プロトコルとしてＴＣＰ／ＩＰなどが用いられる。また、ネットワークＮＷは、ゲートウェイなどを経由してインターネットに接続可能な場合もある。ネットワークＮＷには、複合機１およびプロジェクタ２のほかにもパーソナルコンピュータなどの他の情報処理装置が接続される。
【００２６】
本実施例では、複数のフロアおよび複数の会議室を有し、かつ各フロアに１台ずつの複合機１を備え、各会議室に１台ずつプロジェクタ２を備えている会社に設けられている画像データ送受信システムＳＹを例に説明する。ネットワークＮＷに接続されている、各複合機１を「複合機１Ａ」、「複合機１Ｂ」、…と区別して記載し、各プロジェクタ２を「プロジェクタ２Ａ」、「プロジェクタ２Ｂ」、「プロジェクタ２Ｃ」、「プロジェクタ２Ｄ」、「プロジェクタ２Ｅ」、…と区別して記載することがある。
【００２７】
複合機１は、コピー、ネットワークプリンティング（ＰＣプリント）、スキャナ、ファックス、およびドキュメントサーバなどの様々な機能を集約した、画像形成装置である。「ＭＦＰ」などと呼ばれることもある。特に本実施例では、会議の資料などの文書原稿（ドキュメント）をスキャンするなどして画像データを生成し、ネットワークＮＷを介してプロジェクタ２へ送信することができる。ユーザ（その会社に勤務する者）は、画像データの送信先のプロジェクタ２を複数台のプロジェクタ２Ａ〜２Ｅの中から任意に選択することができる。
【００２８】
また、複合機１は、携帯電話３に装着されているＩＣカードに記憶された情報を読み取ることができるようになっている。
【００２９】
図２に示すように、複合機１は、ＣＰＵ（Central Processing Unit）１０ａ、ＲＡＭ（Random Access Memory）１０ｂ、ＲＯＭ（Read Only Memory）１０ｃ、補助記憶装置１０ｄ、制御用回路１０ｅ、操作パネル１０ｆ、ネットワークインタフェース１０ｇ、スキャナ１０ｈ、ＦＡＸモデム１０ｉ、印刷装置１０ｊ、およびＩＣカードリーダー１０ｋなどによって構成される。
【００３０】
ＣＰＵ１０ａは、ＲＯＭ１０ｃまたは補助記憶装置１０ｄに格納されているプログラムおよびデータのほか外部から必要に応じて入力される種々のデータに基づいて、ＲＡＭ１０ｂをワークエリアとして演算処理を実行する。
【００３１】
補助記憶装置１０ｄは、電源を切ってもその記憶内容が保持される不揮発性の記憶装置である。補助記憶装置１０ｄとして、フラッシュメモリなどの半導体メモリまたはハードディスクなどの磁気記憶装置などが用いられる。補助記憶装置１０ｄには、画像データの送信処理の条件、複合機１に設定された名称およびＩＰアドレスなど、種々の設定に関する情報が記憶される。
【００３２】
また、補助記憶装置１０ｄには、ＣＰＵ１０ａに実行させるプログラムおよびデータが記憶されることもある。この場合は、プログラムおよびデータは、必要に応じてＲＡＭ１０ｂにロードされる。
【００３３】
また、補助記憶装置１０ｄには、「ボックス（ＢＯＸ）」と呼ばれる記憶領域が割り当てられる。これは、パーソナルコンピュータにおける「フォルダ」または「ディレクトリ」に相当するものであり、ドキュメントデータなどの画像データをユーザあるいはグループごとに保存し管理するための記憶領域である。
【００３４】
制御用回路１０ｅは、補助記憶装置１０ｄ、操作パネル１０ｆ、ネットワークインタフェース１０ｇ、スキャナ１０ｈ、ＦＡＸモデム１０ｉ、印刷装置１０ｊ、およびＩＣカードリーダー１０ｋなどを制御するための回路である。なお、制御用回路１０ｅの機能の一部または全部をＣＰＵ１０ａに受け持たせるようにしてもよい。
【００３５】
操作パネル１０ｆは、タッチパネルおよびテンキーなどによって構成される。タッチパネルには、ユーザに対してメッセージを与えるための画面、ユーザに対して処理結果を示すための画面、またはユーザが処理の指示入力をするための画面などが表示される。ユーザは、タッチパネルに表示される操作ボタンまたはテンキーを操作することによって、複合機１に対して、画像データの送信を指示したり、送信先のプロジェクタ２を選択したり、送信すべき画像データを選択したり、複合機１の名称またはＩＰアドレスを設定したり、送信処理の条件を設定したりすることができる。
【００３６】
ネットワークインタフェース１０ｇは、ネットワークＮＷに接続されている他の情報処理装置とＴＣＰ／ＩＰなどの通信プロトコルによって通信を行うためのインタフェースである。ネットワークインタフェース１０ｇとして、ＮＩＣ（Network Interface Card）などが用いられる。ネットワークインタフェース１０ｇには、ＭＡＣ（Media Access Control）アドレスが設定されている。
【００３７】
スキャナ１０ｈは、原稿に記されている文字、写真、絵、図表などの文書原稿を所定の解像度で光学的に読み取って所定の画像処理を施した電子データ（画像データ）に変換するための装置である。例えば、光源、プリズム、およびＣＣＤセンサなどによって実現される。
【００３８】
ＦＡＸモデム１０ｉは、公衆回線網を介して他のＦＡＸ端末とＦＡＸプロトコルによって通信を行うための装置である。
【００３９】
印刷装置１０ｊは、スキャナ１０ｈによって生成された画像データ、補助記憶装置１０ｄ内のボックスに保存されている画像データ、ネットワークＮＷに接続されている他の情報処理装置から受信した画像データ、または他のＦＡＸ端末から受信した画像データなどに基づいて画像を用紙に印刷するための装置である。例えば、電子写真方式、インクジェット方式、または熱転写方式などの機構によって実現される。
【００４０】
ＩＣカードリーダー１０ｋは、無線通信によって、携帯電話３に装着されている非接触型のＩＣカード（チップ）に記憶された情報を読み取るための装置である。携帯電話３に装着されているＩＣカードとして、モバイルＦｅｌｉＣａ（登録商標）などが用いられる。ユーザは、所有する携帯電話３をＩＣカードリーダー１０ｋにかざすことによって、ＩＣカードに記憶された情報を複合機１に提供することができる。特に本実施例では、ＩＣカードに記憶されたＩＤを提供する。
【００４１】
なお、携帯電話３に装着されているＩＣカードの代わりに、他の非接触型のＩＣカードまたは接触型のＩＣカードに記憶された情報を読み取るようにしてもよい。
【００４２】
図１に戻って、プロジェクタ２は、パーソナルコンピュータなどから入力された画像信号、またはパーソナルコンピュータなどを介さずに入力された画像データなどに基づいて画像をスクリーンなどに投影する、液晶方式の画像投影装置である。液晶方式以外の方式の画像投影装置であってもよい。特に本実施例では、複合機１から直接受信した、ＪＰＥＧ（Joint Photographic Experts Group）、ＧＩＦ（Graphics Interchange Format）、またはＴＩＦＦ（Tagged Image File Format）などの画像データに基づいて画像を投影することができる。
【００４３】
また、プロジェクタ２は、携帯電話３に装着されているＩＣカードに記憶された情報を読み取ることができるようになっている。
【００４４】
図３に示すように、プロジェクタ２は、ＣＰＵ２０ａ、ＲＡＭ２０ｂ、ＲＯＭ２０ｃ、補助記憶装置２０ｄ、制御用回路２０ｅ、操作パネル２０ｆ、ネットワークインタフェース２０ｇ、投影装置２０ｈ、およびＩＣカードリーダー２０ｉなどによって構成される。
【００４５】
ＣＰＵ２０ａは、ＲＯＭ２０ｃまたは補助記憶装置２０ｄに格納されているプログラムおよびデータのほか外部から必要に応じて入力される種々のデータに基づいて、ＲＡＭ２０ｂをワークエリアとして演算処理を実行する。
【００４６】
補助記憶装置２０ｄは、電源を切ってもその記憶内容が保持される不揮発性の記憶装置である。補助記憶装置２０ｄとして、フラッシュメモリなどの半導体メモリまたはハードディスクなどの磁気記憶装置などが用いられる。補助記憶装置２０ｄには、画像の投影処理の条件、プロジェクタ２に設定された名称およびＩＰアドレスなど、種々の設定に関する情報が記憶される。
【００４７】
また、補助記憶装置２０ｄには、ＣＰＵ２０ａに実行させるプログラムおよびデータが記憶されることもある。この場合は、プログラムおよびデータは、必要に応じてＲＡＭ２０ｂにロードされる。
【００４８】
制御用回路２０ｅは、補助記憶装置２０ｄ、操作パネル２０ｆ、ネットワークインタフェース２０ｇ、投影装置２０ｈ、およびＩＣカードリーダー２０ｉなどを制御するための回路である。なお、制御用回路２０ｅの機能の一部または全部をＣＰＵ２０ａに受け持たせるようにしてもよい。
【００４９】
操作パネル２０ｆは、ディスプレイ、テンキー、および種々のスイッチなどによって構成される。ディスプレイには、ユーザに対してメッセージを与えるための画面、またはユーザに対して処理結果を示すための画面などが表示される。ディスプレイに表示すべき画面を投影装置２０ｈによってスクリーンなどに投影するようにしてもよい。この場合は、ディスプレイを設ける必要はない。ユーザは、テンキーまたはスイッチを操作することによって、プロジェクタ２に対して、画像の投影の開始または中断を指示したり、プロジェクタ２の名称またはＩＰアドレスを設定したり、投影処理の条件を設定したりすることができる。
【００５０】
ネットワークインタフェース２０ｇは、ネットワークＮＷに接続されている他の情報処理装置とＴＣＰ／ＩＰなどの通信プロトコルによって通信を行うためのインタフェースである。ネットワークインタフェース２０ｇとして、ＮＩＣなどが用いられる。ネットワークインタフェース２０ｇには、ＭＡＣアドレスが設定されている。
【００５１】
投影装置２０ｈは、光源からの白色光をＲ色成分、Ｇ色成分、およびＢ色成分に分離し、分離された光を液晶パネルに透過させた後に合成し、合成された光を投射レンズに通過させて投影する装置である。ＣＰＵ２０ａなどの指令に基づいて液晶パネル内の表示素子が制御されることによって、入力された画像データに基づいた画像がスクリーンなどに投影される。
【００５２】
ＩＣカードリーダー２０ｉは、無線通信によって、携帯電話３に装着されている非接触型のＩＣカード（チップ）に記憶された情報を読み取るための装置である。なお、他の非接触型または接触型のＩＣカードに記憶された情報を読み取るようにしてもよいことは、ＩＣカードリーダー１０ｋの場合と同様である。
【００５３】
図４は複合機１の機能的構成の例を示すブロック図、図５はプロジェクタ２の機能的構成の例を示すブロック図である。
【００５４】
複合機１のＲＯＭ１０ｃには、図４に示すような、識別コード入力受付部１０１、プロジェクタ検出部１０２、プロジェクタ一覧表示部１０３、送信先選択受付部１０４、画像データ取得部１０５、画像データ送信部１０６などの各機能部を実現するためのプログラムが格納されており、ＣＰＵ１０ａによって実行される。または、それらのプログラムの一部または全部が補助記憶装置１０ｄに格納されていてもよい。その場合は必要に応じてＲＡＭ１０ｂに読み出されて実行される。
【００５５】
ＲＯＭ１０ｃまたは補助記憶装置１０ｄには、そのほかファイルサーバの機能を実現するためのプログラムが記憶されている。
【００５６】
ファイルサーバの機能によると、画像データを補助記憶装置１０ｄ内のボックスなどを用いて保存し管理するように補助記憶装置１０ｄを制御することができる。
【００５７】
なお、図４に示す各部の機能およびそのほかの機能の一部または全部が回路で実現されていてもよい。
【００５８】
プロジェクタ２のＲＯＭ２０ｃには、図５に示すような、識別コード入力受付部２０１、一時プロジェクタ名称生成部２０２、プロジェクタ名称応答部２０３、画像データ受信部２０４、画像投影部２０５などを実現するためのプログラムが格納されており、ＣＰＵ２０ａによって実行される。または、それらのプログラムの一部または全部が補助記憶装置２０ｄに格納されていてもよい。その場合は必要に応じてＲＡＭ２０ｂに読み出されて実行される。なお、図５に示す各部の機能の一部または全部が回路で実現されていてもよい。
【００５９】
〔第一の実施形態〕
第一の実施形態では、複合機１およびプロジェクタ２に対して共通する識別コード（ＰＩＮコードなどの識別のためのキー）Ｃ１０およびＣ２０をユーザに入力してもらうことによって、複合機１は、ネットワークＮＷ上に検出したプロジェクタ２をユーザに提示する際、その識別コードＣ２０が入力されたプロジェクタ２を最優先に提示する。
【００６０】
以下、図４および図５に示す各部の機能についてユーザの使用態様に沿った順序で説明する。
【００６１】
図６は識別コードＣ２０の入力をユーザに促す画面ＷＤ２０の例を示す図、図７は一時プロジェクタ名称Ｎ２１の確認をユーザに求める画面ＷＤ２１の例を示す図、図８は識別コードＣ１０の入力をユーザに促す画面ＷＤ１０の例を示す図、図９は検出したプロジェクタ２についての検出リストＬＳＴの例を示す図、図１０は検出したプロジェクタ２をユーザに提示する画面ＷＤ１１の例を示す図である。
【００６２】
図１における画像データ送受信システムＳＹが設けられている会社において、あるユーザ（仮に甲氏とする。）が、プロジェクタ２Ａが備えられている会議室を使って新商品のレビューを主催することになった。甲氏は、レビューにおいて新商品の概要が一目でわかる図面を資料として提示したいと考えた。図面はＣＡＤで作成された紙ベースのものである。しかし、新商品のプロジェクトは秘密裏に進行しており、それを紙に印刷して配るのは情報漏えいの観点から好ましくないと考えた。そこで、図面を読み取った画像データを複合機１Ａから直接プロジェクタ２Ａへ送信することにした。実はこのとき、別のユーザ（仮に乙氏とする。）が、同様に、複合機１Ｂからプロジェクタ２Ｂへ画像データを送信しようとしていたとする。
【００６３】
甲氏は、プロジェクタ２Ａが備えられている会議室へ移動し、プロジェクタ２Ａを起動させて、画像データを複合機から待ち受けるモードに設定する。
【００６４】
すると、プロジェクタ２Ａは画像データの待受け状態に移行する。
【００６５】
そして、図５の識別コード入力受付部２０１は、識別コード（ＰＩＮコード）Ｃ２０の入力を受け付ける処理を次のように行う。
【００６６】
まず、識別コード入力受付部２０１は、図６に示すように、識別コードＣ２０の入力をユーザに促す画面ＷＤ２０を操作パネル２０ｆのディスプレイに表示させる。
【００６７】
甲氏は、操作パネル２０ｆのテンキーを操作することによって、識別コードＣ２０を入力し、「決定」ボタンを押下する。図６では、識別コードＣ２０として「２８５５」が入力された例を示している。以下、この例に沿って説明する。
【００６８】
すると、識別コード入力受付部２０１は、入力された識別コードＣ２０を受け付け、識別コードＣ２０が所定の形式を具備しているか否かをチェックする。所定の形式を具備していない（例えば、桁数が足りない）場合は、再度、識別コードＣ２０の入力をユーザに促す画面ＷＤ２０を操作パネル２０ｆのディスプレイに表示させる。一方、所定の形式を具備している場合は、識別コードＣ２０を一時プロジェクタ名称生成部２０２に引き渡す。
【００６９】
一時プロジェクタ名称生成部２０２は、一時プロジェクタ名称Ｎ２１を生成する処理を次のように行う。
【００７０】
補助記憶装置２０ｄには、プロジェクタ２Ａのプロジェクタ名称Ｎ２０が既に登録されている。プロジェクタ名称Ｎ２０として、デフォルトの設定による名称、ＩＰアドレス、ＭＡＣアドレス、またはそれらを組み合わせた名称などが登録される。また、ユーザは、操作パネル２０ｆのタッチパネルに表示される操作ボタンまたはテンキーを操作することによって、所望の名称を登録することもできる。
【００７１】
まず、一時プロジェクタ名称生成部２０２は、補助記憶装置２０ｄに記憶されているプロジェクタ名称Ｎ２０を読み出す。そして、それに識別コードＣ２０を付加した一時プロジェクタ名称Ｎ２１を新たに生成する。そして、図７に示すように、一時プロジェクタ名称Ｎ２１の確認をユーザに求める画面ＷＤ２１を操作パネル２０ｆのディスプレイに表示させる。図７では、一時プロジェクタ名称Ｎ２１として「２８５５＿ｐｒｏｊｅｃｔｏｒ」を生成した例を示している。以下、この例に沿って説明する。
【００７２】
甲氏は、操作パネル２０ｆのディスプレイに表示された一時プロジェクタ名称Ｎ２１を確認し、問題がなければ「決定」ボタンを押下する。一方、問題があれば、「戻る」ボタンを押下する。
【００７３】
「決定」ボタンが押下されると、一時プロジェクタ名称生成部２０２は、一時プロジェクタ名称Ｎ２１をＲＡＭ２０ｂに一時的に保持する。一方、「戻る」ボタンが押下されると、識別コードＣ２０に基づいた他の一時プロジェクタ名称Ｎ２１の候補を生成し、その確認をユーザに求める画面ＷＤ２１を操作パネル２０ｆのディスプレイに表示させる。または、再度、識別コードＣ２０の入力をユーザに促す画面ＷＤ２０を操作パネル２０ｆのディスプレイに表示させるなどの対処をする。
【００７４】
次に、甲氏は複合機１Ａが設置されている場所へ移動し、操作パネル１０ｆのタッチパネルに表示された操作ボタンを操作することによって、原稿をスキャンして生成した画像データをプロジェクタへ送信するメニュー（「ＳｃａｎＴｏネットワークプロジェクタ機能」）を選択し、図面が印刷された用紙を原稿台にセットする。
【００７５】
すると、複合機１Ａは用紙を光学的に読み取った画像データをプロジェクタへ送信する処理に移行する。
【００７６】
そして、図４の識別コード入力受付部１０１は、識別コード（ＰＩＮコード）Ｃ１０の入力を受け付ける処理を次のように行う。
【００７７】
まず、識別コード入力受付部１０１は、図８に示すように、識別コードＣ１０の入力をユーザに促す画面ＷＤ１０を操作パネル１０ｆのタッチパネルに表示させる。
【００７８】
甲氏は、操作パネル１０ｆのテンキーを操作することによって、先にプロジェクタ２Ａに対して入力したのと同じ識別コードＣ１０を入力し、「ＯＫ」ボタンを押下する。図８では、識別コードＣ１０として「２８５５」が入力された例を示している。以下、この例に沿って説明する。
【００７９】
すると、識別コード入力受付部１０１は、入力された識別コードＣ１０を受け付け、識別コードＣ１０が所定の形式を具備しているか否かをチェックする。所定の形式を具備していない場合は、再度、識別コードＣ１０の入力をユーザに促す画面ＷＤ１０を操作パネル１０ｆのタッチパネルに表示させる。一方、所定の形式を具備している場合は、識別コードＣ１０をプロジェクタ一覧表示部１０３に引き渡す。
【００８０】
同時に、プロジェクタ検出部１０２は、ネットワークＮＷに割り当てられたアドレス範囲内のすべてのＩＰアドレスに向けてプロジェクタ問合せメッセージＭ１０を送信することによって、ネットワークＮＷに接続されているプロジェクタ２Ａ〜２Ｅを検出する。
【００８１】
図５において、プロジェクタ２Ａのプロジェクタ名称応答部２０３は、複合機１Ａからプロジェクタ問合せメッセージＭ１０を受信すると、ＲＡＭ２０ｂに保持しておいた一時プロジェクタ名称Ｎ２１、および補助記憶装置２０ｄに記憶されているＩＰアドレスなどの設定に関する情報を複合機１Ａへ送信する。ここで、プロジェクタ２Ａから送信される一時プロジェクタ名称Ｎ２１は、先に甲氏が入力した識別コードＣ２０が反映された名称である。以下、これが「２８５５＿ｐｒｏｊｅｃｔｏｒ」である場合を例に説明する。
【００８２】
また、プロジェクタ２Ｂも、乙氏によって画像データを複合機から待ち受けるモードに設定され、識別コードＣ２０が入力されているものとする。そのため、複合機１Ａからプロジェクタ問合せメッセージＭ１０を受信したプロジェクタ２Ｂのプロジェクタ名称応答部２０３も、プロジェクタ２Ａの場合と同様に振る舞う。ここで、プロジェクタ２Ｂから送信される一時プロジェクタ名称Ｎ２１は、先に乙氏が入力した識別コードＣ２０が反映された名称である。以下、これが「２８７６＿ｐｒｏｊｅｃｔｏｒ」である場合を例に説明する。
【００８３】
一方、プロジェクタ２Ｃないし２Ｅは、どのユーザからも識別コードＣ２０が入力されていないものとする。そのため、複合機１Ａからプロジェクタ問合せメッセージＭ１０を受信したプロジェクタ２Ｃないし２Ｅのプロジェクタ名称応答部２０３は、補助記憶装置２０ｄに記憶されているプロジェクタ名称Ｎ２０およびＩＰアドレスなどの設定に関する情報を複合機１Ａへ送信する。以下、プロジェクタ２Ｃ、２Ｄ、２Ｅから送信される各プロジェクタ名称Ｎ２０が、それぞれＩＰアドレス、ＭＡＣアドレス、デフォルトの設定による名称である場合を例に説明する。
【００８４】
図４において、複合機１Ａのプロジェクタ検出部１０２は、プロジェクタ２Ａ〜２Ｅからプロジェクタ名称Ｎ２０および一時プロジェクタ名称Ｎ２１などの情報を受信すると、図９に示すような、検出したプロジェクタ２についての検出リストＬＳＴを作成する処理を次のように行う。
【００８５】
プロジェクタ検出部１０２は、プロジェクタ名称Ｎ２０または一時プロジェクタ名称Ｎ２１などの情報を受信するごとに、それらの情報を検出リストＬＳＴに追加していく。図９では、プロジェクタ２Ｄ→２Ｂ→２Ｃ→２Ａ→２Ｅ→…の順で受信した例を示している。その際、各プロジェクタ名称Ｎ２０または一時プロジェクタ名称Ｎ２１ごとに優先度Ｒを付与する。優先度Ｒには、「高」、「中」、および「低」の３つのランクが設けられている。
【００８６】
具体的には、一時プロジェクタ名称Ｎ２１に含まれる識別コードＣ２０が識別コード入力受付部１０１から受け取った識別コードＣ１０と一致する一時プロジェクタ名称Ｎ２１に「高」の優先度Ｒを付与する。プロジェクタ２Ａから受信した一時プロジェクタ名称Ｎ２１（「２８５５＿ｐｒｏｊｅｃｔｏｒ」）に含まれる識別コードＣ２０（「２８５５」）は、識別コード入力受付部１０１から受け取った識別コードＣ１０（「２８５５」）と一致するため、プロジェクタ２Ａから受信した一時プロジェクタ名称Ｎ２１は「高」の優先度Ｒが付与される。
【００８７】
また、そのほかの（「高」の優先度Ｒが付与されなかった）一時プロジェクタ名称Ｎ２１に「中」の優先度Ｒを付与する。つまり、識別コード入力受付部１０１から受け取った識別コードＣ１０とは一致しないが、何らかの識別コードＣ２０が付加されている一時プロジェクタ名称Ｎ２１には「中」の優先度Ｒが付与される。プロジェクタ２Ｂから受信した一時プロジェクタ名称Ｎ２１（「２８７６＿ｐｒｏｊｅｃｔｏｒ」）は、識別コードＣ２０（「２８７６」）が付加されているため、「中」の優先度Ｒが付与される。
【００８８】
また、プロジェクタ名称Ｎ２０に「低」の優先度Ｒを付与する。つまり、識別コードＣ２０が付加されていないプロジェクタ名称Ｎ２０には「低」の優先度Ｒが付与される。プロジェクタ２Ｃ、２Ｄ、２Ｅから受信した各プロジェクタ名称Ｎ２０は、それぞれＩＰアドレス、ＭＡＣアドレス、デフォルトの設定による名称であり、識別コードＣ２０が付加されていないため、「低」の優先度Ｒが付与される。ただし、これらの中で、デフォルトの設定に用いられる名称に該当するプロジェクタ名称Ｎ２０にはさらに低いランクの優先度Ｒを付与するなど、より細かい優先度Ｒを付与してもよい。
【００８９】
プロジェクタ検出部１０２は、最初にプロジェクタ名称Ｎ２０または一時プロジェクタ名称Ｎ２１などの情報を受信してから一定時間（例えば、１０秒）経過した後に、作成した検出リストＬＳＴをプロジェクタ一覧表示部１０３に引き渡す。
【００９０】
プロジェクタ一覧表示部１０３は、検出リストＬＳＴに基づいて、図１０に示すように、検出したプロジェクタ２の一覧をユーザに提示する画面ＷＤ１１を操作パネル１０ｆのタッチパネルに表示させる。
【００９１】
その際、プロジェクタ名称Ｎ２０および一時プロジェクタ名称Ｎ２１について、それに付与された優先度Ｒのランクに従って、一覧リストの上部から下部にかけて配置する。つまり、「高」の優先度Ｒが付与された一時プロジェクタ名称Ｎ２１を一覧リストの最上部に表示させる。さらに、「高」の優先度Ｒが付与された一時プロジェクタ名称Ｎ２１の表示部分について、その背景色を他と異なる色にするなど、特に強調を施すようにする。また、同ランクの優先度Ｒが付与されたプロジェクタ名称Ｎ２０または一時プロジェクタ名称Ｎ２１が複数存在する場合は、それらをアルファベット順、あいうえお順、または受信順などの一般的な順序となるように配置する。
【００９２】
甲氏は、操作パネル１０ｆのタッチパネルに表示された一覧リストの中から、最上部に表示され、先に複合機１Ａに対して入力した識別コードＣ１０（「２８５５」）を含む一時プロジェクタ名称Ｎ２１（「２８５５＿ｐｒｏｊｅｃｔｏｒ」）を選択し、「ＯＫ」ボタンを押下する。もちろん、他のプロジェクタ名称Ｎ２０または一時プロジェクタ名称Ｎ２１を選択することも可能である。
【００９３】
すると、送信先選択受付部１０４は、選択されたプロジェクタ名称Ｎ２０または一時プロジェクタ名称Ｎ２１を受け付け、そのプロジェクタ名称Ｎ２０または一時プロジェクタ名称Ｎ２１有するプロジェクタ２Ａが送信先に決定したことを画像データ送信部１０６に知らせる。
【００９４】
同時に、画像データ取得部１０５は、原稿台にセットされた用紙をスキャナ１０ｈにスキャンさせることによって画像データＰ１０を取得する。
【００９５】
次に、画像データ送信部１０６は、検出リストＬＳＴに基づいて、取得された画像データＰ１０を、決定した送信先のプロジェクタ２Ａへ送信する。
【００９６】
図５において、プロジェクタ２Ａの画像データ受信部２０４は、複合機１Ａから画像データＰ１０を受信すると、画像データＰ１０が所定の形式を具備しているか否かをチェックする。所定の形式を具備している場合は、それを画像投影部２０５に引き渡す。
【００９７】
画像投影部２０５は、画像データ受信部２０４から受け取った画像データＰ１０をＲＧＢの画像信号に変換して投影装置２０ｈへ出力する。そして、投影装置２０ｈによって、ＲＧＢの画像信号に基づいた画像がスクリーンなどに投影される。
【００９８】
上述の第１の実施形態における、複合機１およびプロジェクタ２における全体的な処理の流れを、図１１および図１２のフローチャートを参照しながら説明する。
【００９９】
図１１はプロジェクタ２において画像データＰ１０を複合機１から受信する処理の流れの例を示すフローチャート、図１２は複合機１において画像データＰ１０をプロジェクタ２へ送信する処理の流れの例を示すフローチャート、図１３は検出したプロジェクタ２を検出リストＬＳＴに追加する処理の流れの例を示すフローチャートである。
【０１００】
複合機１およびプロジェクタ２は、ユーザが操作を行うごとに、それに応じて次のような処理を実行する。
【０１０１】
まず、ユーザはいずれかのプロジェクタ２が備えられている会議室へ移動する。
【０１０２】
図１１において、プロジェクタ２は、ユーザによって待受けモードに設定されると、待受け状態となり（＃３０１）、識別コード（ＰＩＮコード）Ｃ２０の入力をユーザに促す画面ＷＤ２０（図６参照）をディスプレイに表示させる（＃３０２）。ユーザによって識別コードＣ２０が入力されると、入力された識別コードＣ２０と、元々設定されていたプロジェクタ名称Ｎ２０とを組み合わせて、一時プロジェクタ名称Ｎ２１を生成する（＃３０３）。そして、複合機１からの接続を待つ（＃３０４）。
【０１０３】
ここで、ユーザはいずれかの複合機１が設置されている場所へ移動する。
【０１０４】
図１２において、複合機１は、ユーザによって「ＳｃａｎＴｏネットワークプロジェクタ機能」が選択されると、識別コード（ＰＩＮコード）Ｃ１０の入力をユーザに促す画面ＷＤ１０（図８参照）をタッチパネルに表示させる（＃４０１）。ユーザによって識別コードＣ１０が入力されると、ネットワークＮＷに接続されているプロジェクタ２の検出を開始する（＃４０２）。プロジェクタ２が検出されるごとにその情報を検出リストＬＳＴ（図９参照）に追加していく（＃４０３）。この検出リストＬＳＴに追加する処理は次のように行われる。
【０１０５】
図１３において、検出したプロジェクタ２のプロジェクタ名称Ｎ２０または一時プロジェクタ名称Ｎ２１を取得し（＃５０１）、それに識別コードＣ１０が含まれている場合には（＃５０２でＹｅｓ）、その優先度Ｒを「高」に設定する（＃５０３）。一方、識別コードＣ１０が含まれていない場合には（＃５０２でＮｏ）、その優先度Ｒを「中」または「低」に設定する（＃５０４）。そして、プロジェクタ名称Ｎ２０または一時プロジェクタ名称Ｎ２１、優先度Ｒ、およびそのほかＩＰアドレスなどの設定に関する情報を検出リストＬＳＴに追加する。
【０１０６】
図１２に戻って、このプロジェクタ２の検出は一定時間経過したところで打ち切り（＃４０４）、検出リストＬＳＴに基づいて、検出したプロジェクタ２の一覧をユーザに提示する画面ＷＤ１１（図１０参照）をタッチパネルに表示させる（＃４０５）。その際、ユーザによって入力された識別コードＣ１０を含んだ一時プロジェクタ名称Ｎ２１を最優先にかつ目立つように表示させる。ユーザによって、一覧の中から識別コードＣ１０を含んだ一時プロジェクタ名称Ｎ２１が選択されると、原稿をスキャンして画像データＰ１０を生成する（＃４０６）。最後に、選択された一時プロジェクタ名称Ｎ２１を有するプロジェクタ２へ接続を要求し（＃４０７）、生成した画像データＰ１０を、そのプロジェクタ２へ送信する（＃４０８）。
【０１０７】
ここで、ユーザは先に待受けモードに設定したプロジェクタ２が備えられている会議室へ戻る。
【０１０８】
図１１において、プロジェクタ２は複合機１からの接続を受け入れ（＃３０５）、画像データＰ１０を受信し（＃３０６）、画像データＰ１０に基づいた画像を投影する（＃３０７）。
【０１０９】
以上、第一の実施形態によると、ユーザは、ネットワークＮＷ上に検出されたプロジェクタ２の中から、自身が識別コードＣ２０を入力したプロジェクタ２を容易に特定できる。
【０１１０】
〔第二の実施形態〕
第二の実施形態では、第一の実施形態において識別コード（ＰＩＮコードなどの識別のためのキー）Ｃ１０およびＣ２０をユーザに入力させていたプロセスを、よりユーザにとって利便性の高いものとする。つまり、複合機１およびプロジェクタ２に対してユーザが所有する携帯電話３をかざしてもらうことによって、複合機１は、ネットワークＮＷ上に検出したプロジェクタ２をユーザに提示する際、その携帯電話３がかざされたプロジェクタ２を最優先に提示する。
【０１１１】
以下、第一の実施形態と相違する点を中心に、図４および図５に示す各部の機能についてユーザの使用態様に沿った順序で説明する。第一の実施形態と重複する点については、説明を省略する場合がある。
【０１１２】
図１４は携帯電話３をかざすことをユーザに促す画面ＷＤ２２の例を示す図、図１５は一時プロジェクタ名称Ｎ２１の確認をユーザに求める画面ＷＤ２３の例を示す図、図１６は携帯電話３をかざすことをユーザに促す画面ＷＤ１２の例を示す図、図１７は検出したプロジェクタ２をユーザに提示する画面ＷＤ１３の例を示す図である。
【０１１３】
あるユーザが複合機１からプロジェクタ２へ画像データを送信しようとしていたとする。
【０１１４】
まず、ユーザはいずれかのプロジェクタ２が備えられている会議室へ移動する。
【０１１５】
ユーザによって、プロジェクタ２が起動され、画像データを複合機から待ち受けるモードに設定されると、図５に示すプロジェクタ２の識別コード入力受付部２０１は、図１４に示すように、携帯電話３をかざすことをユーザに促す画面ＷＤ２２を操作パネル２０ｆのディスプレイに表示させる。
【０１１６】
ユーザは、所有する携帯電話３をＩＣカードリーダー２０ｉにかざすことによって、携帯電話３に装着されている非接触型のＩＣカードに記憶されたユニークな識別コード（ＩＤ）Ｃ２０をＩＣカードリーダー２０ｉに読み取らせる。
【０１１７】
すると、識別コード入力受付部２０１は、ＩＣカードリーダー２０ｉから識別コードＣ２０を受け取り、一時プロジェクタ名称生成部２０２に引き渡す。
【０１１８】
一時プロジェクタ名称生成部２０２は、補助記憶装置２０ｄに記憶されているプロジェクタ名称Ｎ２０を読み出し、それに識別コードＣ２０を付加した一時プロジェクタ名称Ｎ２１を新たに生成する。そして、図１５に示すように、一時プロジェクタ名称Ｎ２１の確認をユーザに求める画面ＷＤ２３を操作パネル２０ｆのディスプレイに表示させる。
【０１１９】
ユーザは、操作パネル２０ｆのディスプレイに表示された一時プロジェクタ名称Ｎ２１を確認し、問題がなければ「決定」ボタンを押下する。
【０１２０】
次に、いずれかの複合機１が設置されている場所へ移動する。
【０１２１】
ユーザによって、画像データをプロジェクタへ送信するメニューが選択されると、図４に示す複合機１の識別コード入力受付部１０１は、図１６に示すように、携帯電話３をかざすことをユーザに促す画面ＷＤ１２を操作パネル１０ｆのタッチパネルに表示させる。
【０１２２】
ユーザは、所有する携帯電話３をＩＣカードリーダー１０ｋにかざすことによって、携帯電話３に装着されている非接触型のＩＣカードに記憶されたユニークな識別コード（ＩＤ）Ｃ１０をＩＣカードリーダー１０ｋに読み取らせる。
【０１２３】
すると、識別コード入力受付部１０１は、ＩＣカードリーダー１０ｋから識別コードＣ１０受け取り、プロジェクタ一覧表示部１０３に引き渡す。
【０１２４】
プロジェクタ一覧表示部１０３は、プロジェクタ検出部１０２から受け取った検出リストＬＳＴに基づいて、図１７に示すように、検出したプロジェクタ２の一覧をユーザに提示する画面ＷＤ１３を操作パネル１０ｆのタッチパネルに表示させる。
【０１２５】
ユーザは、操作パネル１０ｆのタッチパネルに表示された一覧リストの中から、最上部に表示され、先に複合機１のＩＣカードリーダー１０ｋに読み取らせた識別コードＣ１０を含む一時プロジェクタ名称Ｎ２１を選択し、「ＯＫ」ボタンを押下する。
【０１２６】
図４および図５に示すそのほかの各部の機能については、第一の実施形態に準じた働きをする。
【０１２７】
以上、第二の実施形態によると、ユーザは、ネットワークＮＷ上に検出されたプロジェクタ２の中から、自身が携帯電話３をかざしたプロジェクタ２を容易に特定できる。
【０１２８】
なお、上述の第一および第二の実施形態では、一時プロジェクタ名称生成部２０２は、一時プロジェクタ名称Ｎ２１をプロジェクタ名称Ｎ２０とは別にＲＡＭ２０ｂに保持する構成としたが、補助記憶装置２０ｄに記憶されているプロジェクタ名称Ｎ２０を一時プロジェクタ名称Ｎ２１に書き換える構成としてもよい。つまり、元のプロジェクタ名称Ｎ２０に識別コードＣ２０が付加された名称を新たなプロジェクタ名称Ｎ２０としてもよい。
【０１２９】
また、上述の第一および第二の実施形態では、プロジェクタ２側で、プロジェクタ名称Ｎ２０に識別コードＣ２０を付加した一時プロジェクタ名称Ｎ２１を生成する構成としたが、プロジェクタ２はプロジェクタ名称Ｎ２０と識別コードＣ２０とを複合機１へ送信し、複合機１側で、プロジェクタ２から受信したプロジェクタ名称Ｎ２０と識別コードＣ２０とを組み合わせて一時プロジェクタ名称Ｎ２１を生成するようにしてもよい。
【０１３０】
また、上述の第一および第二の実施形態では、プロジェクタ検出部１０２は、プロジェクタ２Ａ〜２Ｅに対して直接名称などの情報を問い合わせる（プロジェクタ問合せメッセージＭ１０を送信する）構成としたが、ネットワークＮＷ上に設けられた、プロジェクタ２Ａ〜２Ｅの状態を管理するサーバにそれらを問い合わせてもよい。
【０１３１】
また、上述の第一および第二の実施形態では、画像データ取得部１０５は、スキャナ１０ｈによって生成された画像データＰ１０を取得したが、ユーザが選択した取得方法に応じて、補助記憶装置１０ｄ内のボックスに保存されている画像データＰ１０、ネットワークＮＷに接続されている他の情報処理装置から受信した画像データＰ１０、または他のＦＡＸ端末から受信した画像データＰ１０などを適宜取得することができる。
【０１３２】
また、上述の第一および第二の実施形態では、送信先選択受付部１０４は、ユーザによって選択されたプロジェクタ名称Ｎ２０または一時プロジェクタ名称Ｎ２１を有するプロジェクタ２を画像データＰ１０の送信先に決定する構成としたが、識別コードＣ１０を含んだ一時プロジェクタ名称Ｎ２１を有するプロジェクタ２を検出した時点で、そのプロジェクタ２を送信先に決定してもよい。つまり、ユーザに送信先のプロジェクタ２を選択させるプロセスを省略することができる。
【０１３３】
また、上述の第二の実施形態では、ＩＣカードリーダー１０ｋおよび２０ｉは、携帯電話３に装着されている非接触型のＩＣカードに記憶されたユニークな識別コードＣ１０およびＣ２０を読み取ったが、その会社の社員証などの他の非接触型のＩＣカード、またはクレジットカードなどの接触型のＩＣカードに記憶された情報を読み取るようにしてもよい。あるいは、赤外線通信やＢｌｕｅＴｏｏｔｈ（登録商標）などのインタフェースを設けることによって、携帯電話３のメモリまたは装着されているＩＣカードに記憶された他と識別可能な情報（例えば、電話番号、メールアドレスなど）をユーザに送信してもらい受信するようにしてもよい。
【０１３４】
上述の実施例において、ネットワークＮＷ、複合機１、プロジェクタ２の全体または各部の構成は、本発明の主旨に沿って適宜変更することができる。また、それらによって行われる処理内容、処理順序、テーブルの構成なども、本発明の趣旨に沿って適宜変更することができる。
【符号の説明】
【０１３５】
１  複合機（画像データ送信装置）
２  プロジェクタ
３  携帯電話（携帯端末）
１０１  識別コード入力受付部（第２のキー取得手段）
１０２  プロジェクタ検出部（キー受信手段）
１０３  プロジェクタ一覧表示部（プロジェクタ一覧表示手段）
１０４  送信先選択受付部（送信先選択手段）
１０６  画像データ送信部（画像データ送信手段）
２０１  識別コード入力受付部（第１のキー取得手段）
２０３  プロジェクタ名称応答部（キー送信手段）
Ｃ１０  識別コード（第２のキー）
Ｃ２０  識別コード（第１のキー）
ＮＷ  ネットワーク
Ｐ１０  画像データ
ＳＹ  画像データ送受信システム
【図１】
2010258721.tif 000003
【図２】
2010258721.tif 000004
【図３】
2010258721.tif 000005
【図４】
2010258721.tif 000006
【図５】
2010258721.tif 000007
【図６】
2010258721.tif 000008
【図７】
2010258721.tif 000009
【図８】
2010258721.tif 000010
【図９】
2010258721.tif 000011
【図１０】
2010258721.tif 000012
【図１１】
2010258721.tif 000013
【図１２】
2010258721.tif 000014
【図１３】
2010258721.tif 000015
【図１４】
2010258721.tif 000016
【図１５】
2010258721.tif 000017
【図１６】
2010258721.tif 000018
【図１７】
2010258721.tif 000019